(57)【特許請求の範囲】
【請求項１】
有底筒状で、引下線の先端部が挿入されて、前記引下線に装着されるキャップ本体と、
前記キャップ本体と連結され、間接活線工具で操作される操作部と、該操作部の操作に伴って開閉する開閉部と、を有し、架線を含む固定対象物を前記開閉部で挟持可能な挟持体と、を備え、
前記開閉部で前記固定対象物を挟持した状態で、前記引下線の先端部が上方に向くように、前記キャップ本体と前記挟持体とが配置されている、
ことを特徴とする引下線用端末キャップ。
【請求項２】
前記開閉部で前記固定対象物を挟持した状態で、前記引下線の先端が前記固定対象物よりも高く位置するように、前記キャップ本体と前記挟持体とが配置されている、
ことを特徴とする請求項１に記載の引下線用端末キャップ。
【請求項３】
前記引下線の先端部が所定の長さ以上前記キャップ本体に挿入されているか否かを、外部から目視確認可能な目視部が前記キャップ本体に設けられている、
ことを特徴とする請求項１または２のいずれか１項に記載の引下線用端末キャップ。
【発明の詳細な説明】
【技術分野】
【０００１】
この発明は、引下線の配電工事を行う際に、露出している引下線の先端部（端末）をカバーするための引下線用端末キャップに関する。
【背景技術】
【０００２】
例えば、電柱上で引下線の配電工事を行う場合、活線状態にあって素線が露出している引下線の先端部（充電部）が、腕金等に接触し地絡事故を発生したり、人に接触して感電したりするおそれがある。このため、引下線の先端部に引下線用端末キャップを装着して、地絡事故や感電事故を防止するようにしている。また、不用意に離脱することがない、という引下線用端末キャップが知られている（例えば、特許文献１参照。）。
【０００３】
この引下線用端末キャップは、引下線を挿通させる有底筒体の開口端に、ラッパ状の挿入口が連設され、有底筒体の外側面に絶縁ヤットコで挟持させる挟持片部が突設されている。また、有底筒体の内壁面の長手方向に、底部に向って次第に隆起を高くしたリブを等間隔に複数条突設して、これらのリブを有底筒体に嵌挿した引下線の外周面に食い込ませて固定させるものである。
【先行技術文献】
【特許文献】
【０００４】
【特許文献１】特開平０９−０６５５２９号公報
【発明の概要】
【発明が解決しようとする課題】
【０００５】
ところで、安全性や作業性などをより確保するには、引下線の先端部を架線（電柱間の配線線）よりも高い位置に配置したり、引下線の先端部を上方に向けたりすることが好ましく、このように引下線の先端部を配置するように指示する作業指示書も存在する。しかしながら、特許文献１の引下線用端末キャップを含めた従来の引下線用端末キャップでは、引下線の先端部を覆うだけであり、引下線の先端部を架線よりも高い位置に配置したり、引下線の先端部を上方に向けたりすることはできない。
【０００６】
このため、従来は、引下線の先端部が上方に向いてかつ架線よりも高く位置するように、作業者が間接活線工具を使用して引下線にくせを付けなければならず、労力と時間を要するばかりでなく、風圧や作業中の接触などによって、引下線の先端部が下方に向いたり架線よりも低く位置したりする場合があった。そして、例えば、引下線の先端部が下方に向くと引下線用端末キャップが外れやすくなり、その結果、引下線の先端部が露出して地絡事故や感電事故が発生するおそれがある。
【０００７】
また、引下線の先端部を引下線用端末キャップに適正な長さだけ確実に挿入することが望ましく、適正な長さだけ挿入したことを確認するように指示する作業指示書も存在する。しかしながら、従来の引下線用端末キャップでは、引下線の挿入長さを確認することが困難であり、その結果、適正な長さだけ挿入しないまま配電工事を行ってしまい、その後、引下線用端末キャップが外れてしまうおそれがあった。
【０００８】
そこでこの発明は、安全性や作業性をより確保することを可能にする引下線用端末キャップを提供することを目的とする。
【課題を解決するための手段】
【０００９】
上記課題を解決するために、請求項１の発明は、有底筒状で、引下線の先端部が挿入されて、前記引下線に装着されるキャップ本体と、前記キャップ本体と連結され、間接活線工具で操作される操作部と、該操作部の操作に伴って開閉する開閉部と、を有し、架線を含む固定対象物を前記開閉部で挟持可能な挟持体と、を備え、前記開閉部で前記固定対象物を挟持した状態で、前記引下線の先端部が上方に向くように、前記キャップ本体と前記挟持体とが配置されている、ことを特徴とする引下線用端末キャップである。
【００１０】
この発明によれば、引下線の先端部にキャップ本体を装着し、間接活線工具で挟持体の操作部を操作して開閉部で固定対象物を挟持することで、引下線の先端部が固定対象物に仮固定される。
【００１２】
請求項２の発明は、請求項１に記載の引下線用端末キャップにおいて、前記開閉部で前記固定対象物を挟持した状態で、前記引下線の先端が前記固定対象物よりも高く位置するように、前記キャップ本体と前記挟持体とが配置されている、ことを特徴とする。
【００１３】
請求項３の発明は、請求項１または２に記載の引下線用端末キャップにおいて、前記引下線の先端部が所定の長さ以上前記キャップ本体に挿入されているか否かを、外部から目視確認可能な目視部が前記キャップ本体に設けられている、ことを特徴とする。
【発明の効果】
【００１４】
請求項１の発明によれば、引下線の先端部が架線などの固定対象物に仮固定されるため、風圧や作業中の接触などによって引下線の先端部が動くことがなく、キャップ本体が外れにくい。従って、引下線の先端部を所定の位置、向きで固定対象物に仮固定することで、キャップ本体を装着したまま引下線の先端部をその位置、向きで維持することができ、安全性や作業性をより確保することが可能となる。しかも、間接活線工具で挟持体の操作部を操作可能なため、間接活線工法を適用することができる。
【００１５】
また、請求項１の発明によれば、挟持体の開閉部で固定対象物を挟持した状態で、引下線の先端部が上方に向くため、引下線の先端部に作業者や工具などが接触するのが防止・抑制されるとともに、キャップ本体が外れにくくなり、安全性や作業性をより確保することが可能となる。
【００１６】
請求項２の発明によれば、挟持体の開閉部で固定対象物を挟持した状態で、引下線の先端が固定対象物よりも高く位置するため、引下線の先端部（先端）に作業者や工具などが接触するのが防止・抑制され、安全性や作業性をより確保することが可能となる。
【００１７】
請求項３の発明によれば、引下線の先端部が所定の長さ以上キャップ本体に挿入されているか否かを、キャップ本体の目視部から目視確認可能なため、引下線の先端部を所定の長さ以上確実にキャップ本体に挿入することが可能となる。この結果、キャップ本体が外れるのをより防止・抑制して、安全性や作業性をより確保することが可能となる。
【図面の簡単な説明】
【００１８】
【図１】この発明の実施の形態に係る引下線用端末キャップの使用状態を示す正面図である。
【図２】図１の引下線用端末キャップの正面図である。
【図３】図１の引下線用端末キャップのキャップ本体の断面図である。
【図４】この発明の実施の形態に係る間接活線工具を示す正面図である。
【発明を実施するための形態】
【００１９】
以下、この発明を図示の実施の形態に基づいて説明する。
【００２０】
図１は、この発明の実施の形態に係る引下線用端末キャップ１の使用状態を示す正面図であり、図２は、引下線用端末キャップ１の正面図である。この引下線用端末キャップ１は、引下線２００の配電工事等を行う際に、先端２０１ａから素線が露出している引下線２００の先端部（端末）２０１をカバーするためのキャップであり、電気絶縁材で構成され、主として、キャップ本体２と挟持体３とを備えている。
【００２１】
キャップ本体２は、有底筒状で、引下線２００の先端部２０１が挿入されて、引下線２００に装着されるものである。すなわち、図３に示すように、一端に底部（頭部）２１を有する円筒状で、軸心に沿って挿入孔２２が形成されている。この挿入孔２２の内面には、底部２１側（挿入側）に向かって斜めに突出する波状の凹凸が、軸方向に沿って連続的に形成され、挿入孔２２の内径（凹凸の略中央部の径）は、引下線２００の外径とほぼ同径に設定されている。これにより、引下線２００の先端部２０１を挿入孔２２に挿入しやすく、かつ、先端部２０１が挿入孔２２から抜けにくいようになっている。
【００２２】
また、キャップ本体２の底部２１から所定長の部分である目視部２３は、透明となっており、引下線２００の先端部２０１が所定の長さ以上キャップ本体２に挿入されているか否かを、外部から目視確認可能となっている。すなわち、引下線２００の先端部２０１を所定の長さ以上挿入孔２２に挿入すると、引下線２００の先端２０１ａが目視部２３に位置して、目視部２３から先端２０１ａを目視確認できるように、透明な目視部２３が設けられている。ここで、所定の長さとは、これ以上先端部２０１を挿入孔２２に挿入すれば、キャップ本体２が引下線２００に強固に装着されて外れにくくなる長さである。
【００２３】
挟持体３は、キャップ本体２と連結され、図４に示す間接活線工具１００で操作される操作部３１と、該操作部３１の操作に伴って開閉する開閉部３２と、を有し、高圧架線２１０を含む固定対象物を開閉部３２で挟持可能なものである。ここで、この実施の形態では、固定対象物が、電柱間に架設された架線（配電線）２１０である場合について、主として以下に説明する。
【００２４】
挟持体３は、図２に示すように、略Ｘ字状で、洗濯バサミと同様に、開閉軸３３を軸心に、操作部（基端部）３１を開閉操作することで、開閉部（挟持部）３２が閉じたり開いたりするようになっている。ここで、開閉軸３３の周りにバネ（図示せず）が配設され、操作部３１を操作しない開いた状態では、バネの力によって開閉部３２が閉じ、操作部３１を操作して閉じると、図１に示すように、開閉部３２が開く。
【００２５】
また、操作部３１の側面３１１は、間接活線工具１００のヤットコ１２０で把持しやすいように、ほぼ垂直な平面（２つの側面３１１が平行）となっている。ここで、間接活線工具１００とは、通電状態のままで作業を行う間接活線工法で用いられる工具、つまり、引下線２００や電気機器などに作業者が直接接することなく作業を行うための工具であり、概略次のような構成となっている。
【００２６】
すなわち、図４に示すように、棒状で先端にヤットコ１２０が配設された工具であり、把持工具本体１１０と、ヤットコ１２０とを有している。把持工具本体１１０は絶縁性の棒体で、上端部には、金属製の支持具１１１が取付けられている。この支持具１１１の上部には、ヤットコ１２０を構成する可動アーム１１２、１１３が支持ピン（図示せず）を介して揺動可能に支持され、この可動アーム１１２、１１３は、操作ロッド１１４の上端部に連結されている。
【００２７】
一方、把持工具本体１１０には、レバー１１５が揺動可能に支持され、このレバー１１５の上端部には、操作ロッド１１４の下端部がピン連結されている。そして、レバー１１５を矢印Ｆ１方向に操作することによって、第１の可動アーム１１２および第２の可動アーム１１３（ヤットコ１２０）が、矢印Ｆ２方向に互いに進退動（回動）するものである。このようなヤットコ１２０で把持しやすいように、操作部３１の側面３１１が形成されている。
【００２８】
このような挟持体３は、２つのバンド４によってキャップ本体２に着脱自在に連結されている。すなわち、図２に示すように、一方の開閉部３２の先端部にバンド孔３２１が形成され、一方のバンド４がバンド孔３２１に挿入されキャップ本体２の底部２１側に巻かれて、締結されている。また、他方のバンド４が、キャップ本体２の反底部２１側と一方の開閉部３２の中央部にわたって巻かれ、締結されている。一方、バンド４を外すことで、キャップ本体２と挟持体３とを分離することができる。
【００２９】
そして、挟持体３の開閉部３２を上方に向けた際に、キャップ本体２の底部２１が上方に向き、かつ、開閉部３２の上端からキャップ本体２の底部２１が所定量突出するように、キャップ本体２と挟持体３とが配置、連結されている。これにより、図１に示すように、開閉部３２で架線２１０を挟持した状態で、引下線２００の先端部２０１が上方に向き、かつ、引下線２００の先端２０１ａが架線２１０よりも高く位置する。
【００３０】
すなわち、この実施の形態では、架線２１０に対して下方からアプローチし、架線２１０の下方から挟持体３で架線２１０を挟持すると、挟持体３の開閉部３２が上方に向き、キャップ本体２の底部２１が開閉部３２の上端から所定量突出して上方に向く。この結果、キャップ本体２に挿入された引下線２００の先端部２０１が上方に向き、かつ、先端２０１ａが架線２１０よりも高く位置するものである。ここで、上記のようにして引下線２００の先端部２０１を所定の長さ以上キャップ本体２に挿入すれば、先端２０１ａが架線２１０よりも高く位置するようになっている。
【００３１】
このような構成の引下線用端末キャップ１で引下線２００の先端部２０１を保護するには、まず、先端部２０１に引下線用端末キャップ１を取り付ける。すなわち、１つの間接活線工具１００のヤットコ１２０で引下線用端末キャップ１（キャップ本体２の胴部など）を把持し、もう１つの間接活線工具１００のヤットコ１２０で引下線２００の先端部２０１を把持して、先端部２０１をキャップ本体２の挿入孔２２に挿入する。この際、目視部２３から先端２０１ａを目視確認できるまで先端部２０１を挿入することで、先端部２０１が所定の長さ以上キャップ本体２に挿入される。
【００３２】
次に、間接活線工具１００のヤットコ１２０で挟持体３の側面３１１を把持して操作部３１を閉じ、開閉部３２を開く。そして、架線２１０の下方から開閉部３２内に架線２１０を位置させ、ヤットコ１２０を操作部３１から離す。これにより、図１に示すように、操作部３１が開いて開閉部３２が閉じ、挟持体３が架線２１０を挟持して、引下線用端末キャップ１および引下線２００の先端部２０１が架線２１０に仮固定される。このような仮固定状態では、引下線２００の先端部２０１が上方に向き、かつ、引下線２００の先端２０１ａが架線２１０よりも高く位置するものである。ここで、図１では、架線２１０が図面の手前から奥に向かって水平に配設されている。
【００３３】
以上のように、この引下線用端末キャップ１によれば、引下線２００の先端部２０１が架線２１０に仮固定されるため、風圧や作業中の接触などによって引下線２００の先端部２０１が動くことがなく、キャップ本体２が外れにくい。従って、引下線２００の先端部２０１を所定の位置、向き（この実施の形態では、上向き）で架線２１０に仮固定することで、キャップ本体２を装着したまま引下線２００の先端部２０１をその位置、向きで維持することができ、地絡事故や感電事故を防止して、安全性をより確保することが可能となる。また、接触などしてもキャップ本体２が外れにくいため、引下線用端末キャップ１や引下線２００を気にする必要がなくなり、作業性をより確保することが可能となる。
【００３４】
また、間接活線工具１００で挟持体３の操作部３１を操作可能なため、間接活線工法を適用することができる。しかも、ヤットコ１２０で操作部３１を把持したり離したりするだけで、容易かつ迅速に引下線用端末キャップ１および引下線２００の先端部２０１を架線２１０に仮固定できるため、作業性がよい。
【００３５】
さらに、挟持体３で架線２１０を挟持した状態で、引下線２００の先端部２０１が上方に向くため、引下線２００の先端部２０１に作業者や工具などが接触するのが防止・抑制されるとともに、キャップ本体２が外れにくくなり、安全性や作業性をより確保することが可能となる。しかも、挟持体３で架線２１０を挟持した状態で、引下線２００の先端２０１ａが架線２１０よりも高く位置するため、引下線２００の先端部２０１（先端２０１ａ）に作業者や工具などが接触するのが防止・抑制され、安全性や作業性をより確保することが可能となる。
【００３６】
また、下線２００の先端部２０１が所定の長さ以上キャップ本体２に挿入されているか否かを、キャップ本体２の目視部２３から目視確認可能なため、引下線２００の先端部２０１を所定の長さ以上確実にキャップ本体２に挿入することが可能となる。この結果、先端部２０１からキャップ本体２が外れるのをより防止・抑制して、安全性や作業性をより確保することが可能となる。一方、挟持体３が不要な場合には、バンド４を外すことで、キャップ本体２のみを単独で使用することができるため、使い勝手がよい。
【００３７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、キャップ本体２の底部２１側のみに透明な目視部２３を設けているが、キャップ本体２全体を透明にして目視部２３とし、引下線２００の先端部２０１が所定の長さ以上挿入されたことを示す境界線を設けてもよい。また、キャップ本体２の反底部２１側を透明な目視部２３として、引下線２００の先端２０１ａが目視部２３を超えて見えなくなったら、引下線２００の先端部２０１が所定の長さ以上挿入された、と確認するようにしてもよい。
【００３８】
また、キャップ本体２と挟持体３とがバンド４によって着脱自在に連結されているが、キャップ本体２と挟持体３とを一体的に成形してもよい。
【符号の説明】
【００３９】
１        引下線用端末キャップ
２        キャップ本体
２１      底部
２２      挿入孔
２３      目視部
３        挟持体
３１      操作部
３２      開閉部
４        バンド
１００    間接活線工具
２００    引下線
２０１    先端部
２０１ａ  先端
２１０    架線（固定対象物）
【図１】
0006488779.tif 000002
【図２】
0006488779.tif 000003
【図３】
0006488779.tif 000004
【図４】
0006488779.tif 000005